(57)【特許請求の範囲】
【請求項１】
電源部と、マザーボードとを内蔵したシャーシを備え、前記電源部及び前記マザーボードは、前記シャーシに設けられた支持プレートに固定され、
前記マザーボードは、複数のスペーサを備え、
前記支持プレートは、漏斗形状の取付孔を複数備え、
前記スペーサの二重フランジ部を前記支持プレートの前記取付孔の丸孔部分に差し込んだ後、前記マザーボードを漏斗形状の狭小部分が終わる位置までスライドさせる一方、
前記支持プレートに設けられた電源部固定用支持部に前記電源部を仮置きし、前記電源部とは別体に設けた押圧プレートの一端に設けた舌片状の係止部を開口部に挿入した後、前記押圧プレートの他端に設けた係止部の突起を前記支持プレートに設けた孔に係合させることにより、
前記電源部は、固定され、かつ、前記電源部が固定された時に前記押圧プレートの側面によって、前記マザーボードは、そのスライド方向とは逆方向の動きが規制され、
前記電源部及び前記マザーボードは、前記支持プレートに、ネジを使用することなく固定されていることを特徴とする情報処理装置用制御装置。
【請求項２】
請求項１において、
前記情報処理装置用制御装置は、側面に側面コネクタを有し、
前記スペーサの二重フランジ部を前記取付孔の丸孔部分に差し込んだ後、前記マザーボードを漏斗形状の狭小部分が終わる位置までスライドさせることにより、前記マザーボードの端部に設けられたマザーボードコネクタは、前記側面コネクタに挿入および接続されることを特徴とする情報処理装置用制御装置。
【請求項３】
請求項１において、
前記情報処理装置用制御装置の前面を覆う、前記シャーシと係合する上部係合爪と下部係合爪を有するフロントカバーと、
前記情報処理装置用制御装置の上面と左右側面を覆う、前記シャーシの係合部と係合する係合爪を有するトップカバーとをさらに有し、
前記フロントカバーは、情報処理装置用制御装置の底面に設けられたロックレバーを操作して前記下部係合爪と前記シャーシとの係合のみを解除して取り外す構成であり、
前記トップカバーは、背面に設けられたロックレバーを操作して前記トップカバーの前記係合爪と前記シャーシの係合部との係合を解除して取り外す構成であることを特徴とする情報処理装置用制御装置。
【請求項４】
請求項３において、
前記情報処理装置用制御装置の背面のケーブル接続部を覆う、前記シャーシと係合する上部係合爪と下部係合爪を有するリアカバーをさらに有し、
前記リアカバーは、横方向にスライドさせることによって、前記上部係合爪及び前記下部係合爪と、前記シャーシとの係合を解除して取り外す構成であることを特徴とする情報処理装置用制御装置。
【請求項５】
請求項１において、
情報格納用記憶部をさらに有し、
前記情報格納用記憶部は、ＨＤＤ部であり、
前記ＨＤＤ部も、ネジを使用することなく前記シャーシに固定され、前面の両側に設けられたツマミを同時に内側に押すことによって前記シャーシとの係合を解除して取り出す構成であることを特徴とする情報処理装置用制御装置。
【請求項６】
請求項５において、
外部接続機器用接続部をさらに有し、
前記外部接続機器用接続部も、ネジを使用することなく前記シャーシに固定され、レバーを９０度回転させて横方向にスライドさせて前記シャーシとの係合を解除して取り出す構成であることを特徴とする情報処理装置用制御装置。
【発明の詳細な説明】
【技術分野】
【０００１】
本発明は、情報処理装置用制御装置に関する。
【背景技術】
【０００２】
通常、この種の情報処理装置用制御装置には、ディスプレイ、プリンタ、マウス、キーボード等の周辺機器が接続されている。また、情報処理装置用制御装置のうち、ＰＯＳ装置用制御装置には、上記した周辺機器に加えて、バーコードリーダ、カードリーダ等の周辺機器も接続されている。このため、情報処理装置用制御装置には、これら周辺機器を接続するための各種周辺機器用コネクタが設置されている。また、コネクタの種類は、標準的に備えられているコネクタの外に、拡張用コネクタが設けられる場合も多い。
【０００３】
ここで、情報処理装置用制御装置として、ＰＯＳ装置用制御装置を例にとって説明すると、当該ＰＯＳ装置用制御装置には、ＣＰＵ等を搭載したマザーボードの外、電源部、及び、各種のデータを格納するハードディスクドライブ（ＨＤＤ部）等がシャーシ内に設けられている。これらマザーボード、電源部、及びＨＤＤ部は、通常、ワイヤ、ケーブルによって、周辺機器用コネクタと電気的に接続されると共に、マザーボード、電源部、及びＨＤＤ部は、個別にシャーシ（筐体プレート）にネジ止めされているのが普通である。
【０００４】
一方、特許文献１には、小型機器を収納するために使用できるネジ止め不要な筐体が開示されている。具体的に説明すると、特許文献１に示された筐体は、アッパーカバーとロアカバーに２分割された筐体部を、ネジを用いないで、爪、爪受け、及び係止部材によって組み立てることができる。
【先行技術文献】
【特許文献】
【０００５】
【特許文献１】特開２００３−１１０２５３号公報
【発明の概要】
【発明が解決しようとする課題】
【０００６】
周辺機器の数が多くなり、周辺機器用コネクタの数が多くなると、配線が複雑になると共に、前述したように、マザーボード、電源部、及びＨＤＤ部は、シャーシ内に設けられた支持プレート等に、ネジによって固定されているが、このように、ネジによって固定した場合、これらマザーボード、電源部、及びＨＤＤ部を組み立て、保守、修理等の際に、これら互いに異なる機能部品のネジも個別に外す必要があり、組立、保守、修理等に非常に時間が掛かってしまう。
【０００７】
また、特許文献１は、２分割できる筐体をネジ無しで固定することを開示しているが、マザーボード、電源部、及びＨＤＤ部等、互いに機能の異なる部品を内部に内蔵した筐体については何ら示唆していない。
【０００８】
本発明の課題は、情報処理装置用制御装置を構成する構成部品を簡単に取り付け、或いは、取り外しを簡単に行うことができ、保守等が容易な情報処理装置用制御装置を提供することである。
【課題を解決するための手段】
【０００９】
本発明によれば、電源部と、マザーボードとを内蔵したシャーシを備え、前記電源部及び前記マザーボードは、前記シャーシに設けられた支持プレートに、ネジを使用することなく固定されていることを特徴とする情報処理装置用制御装置が得られる。
【００１０】
本発明によればまた、前記マザーボードは、複数のスペーサを備え、前記支持プレートは、漏斗形状の取付孔を複数備え、前記スペーサの二重フランジ部を前記取付孔の丸孔部分に差し込んだ後、前記マザーボードを漏斗形状の狭小部分が終わる位置までスライドさせ、さらに、前記マザーボードのスライド方向とは逆方向の動きを規制するプレートを、ネジを使用することなく固定することにより、前記マザーボードは、固定されることを特徴とする前記情報処理装置用制御装置が得られる。
【００１１】
本発明によればさらに、前記支持プレートに設けられた電源部固定用支持部に前記電源部を仮置きし、前記電源部とは別体に設けた押圧プレートの一端に設けた舌片状の係止部を開口部に挿入した後、他端に設けた係止部の突起を前記支持プレートに設けた孔に係合させることにより、前記電源部は、固定されることを特徴とする前記情報処理装置用制御装置が得られる。
【発明の効果】
【００１２】
本発明は、構成品の交換時間を短縮することができ、また、専門の保守員ではないユーザでも保守が可能となると言う利点を備えている。
【図面の簡単な説明】
【００１３】
【図１】本発明の一実施形態に係る情報処理装置用制御装置の外観を示す斜視図である。
【図２】図１に示された情報処理装置用制御装置のリアカバーを説明する斜視図であり、（Ａ）は斜視図、（Ｂ）および（Ｃ）は部分的に拡大して示した斜視図である。
【図３】（Ａ）及び（Ｂ）は、図１に示されたフロントカバーを具体的に説明する斜視図である。
【図４】図１に示された情報処理装置用制御装置のシャーシカバーを取り除いた状態を示す斜視図であり、（Ａ）はフロントカバーが取り付けられた状態、（Ｂ）はフロントカバーを取り除いた状態を示し、（Ｃ）、（Ｄ）、及び（Ｅ）は、フロントカバー取付動作を説明する拡大図である。
【図５】フロントカバーを取り除いた状態における支持プレートをより具体的に説明する図であり、（Ａ）は斜視図、（Ｂ）は支持プレートの平面図、及び、（Ｃ）は使用される部品を拡大して示す図である。
【図６】（Ａ）、（Ｂ）、（Ｃ）、及び（Ｄ）は、それぞれマザーボードを取り付けた状態、電源部を取り付けた状態、電源部に押圧カバーを取り付けた状態、及び、押圧カバーを示す斜視図であり、（Ｅ）は押圧カバーの一部を拡大して示す図である。
【図７】（Ａ）、（Ｂ）、及び（Ｃ）は、それぞれマザーボードの斜視図、正面図、及び裏面図であり、（Ｄ）はマザーボードに使用される部品を拡大して示す図である。
【図８】（Ａ）、（Ｂ）、及び（Ｃ）は、それぞれＨＤＤの取り付け位置を示す斜視図、ＨＤＤ部の外観を示す斜視図、ＨＤＤのガイド部を示す斜視図、（Ｄ）はシャーシ側の抑え構造を説明する拡大図であり、（Ｅ）はＨＤＤ部の一部を拡大して示す図である。
【図９】（Ａ）、（Ｂ）、（Ｃ）、及び（Ｄ）は、外部接続機器用接続部の取り付け位置、外部接続機器用接続部の概略構成、取り付け後の状態、及び、ライザボードを示す斜視図である。
【図１０】（Ａ）、（Ｂ）、（Ｃ）、及び（Ｄ）は、外部接続機器用接続部を示す斜視図、上面図、底面図、及びレバー部材を示す拡大図である。
【図１１】（Ａ）、（Ｂ）、（Ｃ）、（Ｄ）及び（Ｅ）は、外部接続機器用接続部をシャーシに取り付ける構造を説明する図であり、（Ｃ）、（Ｄ）、及び（Ｅ）は図１１（Ａ）及び（Ｂ）の一部を拡大して示す拡大図である。
【図１２】（Ａ）、（Ｂ）、及び（Ｃ）は、外部接続機器用接続部を構成する３種類のパネルを示す図である。
【図１３】（Ａ）、（Ｂ）、（Ｃ、及び（Ｄ）は、トップカバーの取付構造を説明するための図である。
【図１４】フロントカバーの取付構造を説明するための図であり、（Ａ）は前方、下方および右方から見た情報処理装置用制御装置の斜視図であり、（Ｂ）はスライド部単体を示す斜視図である。
【図１５】マザーボードの搭載構造を説明するための図であり、（Ａ）はシャーシにおける取付孔の平面図、（Ｂ）はシャーシにおける取付孔の断面図、（Ｃ）はスペーサを介してシャーシに搭載されたマザーボードの部分的な断面図である。
【図１６】（Ａ）、（Ｂ）、（Ｃ）及び（Ｄ）は、トップカバーの取付構造を説明するための図である。
【発明を実施するための形態】
【００１４】
図１を参照すると、本発明の実施形態に係る情報処理装置用制御装置１００の全体構成が示されている。ここでは、情報処理装置用制御装置１００として、ＰＯＳ制御装置が示されている。図示された情報処理装置用制御装置１００はシャーシ（即ち、筐体フレーム）１０２、シャーシ１０２の前面側に設けられたフロントカバー１０４、及びシャーシ１０２の背面側に設けられたリアカバー１０６によって構成されている。ここで、フロントカバー１０４及びリアカバー１０６といずれもネジ無しでシャーシ１０２に固定されている。また、シャーシ１０２は、図の下側に設けられたシャーシ本体１０２１とシャーシカバー（トップカバー）１０５とによって構成されており、シャーシ１０２とシャーシカバー（トップカバー）１０５もネジ無しで互いに嵌合する形で組み立てられている。トップカバー１０５の取り付け構造については後述する。尚、リアカバー１０６は、ケーブルの接続部を覆う目的で取り付けるものであるため、必ずしも備える必要はない。
【００１５】
図２を参照すると、リアカバー１０６の内側の構成が示されており、リアカバー１０６の内側上部には、４つの係合爪１０６１ａ〜１０６１ｄが設けられており、リアカバー１０６の内側下部には、３つの係合爪１０６２ａ〜１０６２ｃが設けられている。係合爪１０６１ａ〜１０６１ｄならびに係合爪１０６２ａ〜１０６２ｃを、対応するシャーシ１０２の開口部１０２８ａ〜１０２８ｄならびに開口部１０２９ａ〜１０２９ｃ（図１２（Ａ）に示す）に挿入し、リアカバー１０６を図１の右側方向にスライドさせることにより、リアカバー１０６をシャーシ１０２に装着することができる。一方、リアカバー１０６を左側にスライドさせることにより、リアカバー１０６をシャーシ１０２から取り外すことができる。図示されたリアカバー１０６は非導電性の樹脂によって形成されている。このように、リアカバー１０６は、横方向にスライドすることによって取り外すことができるため、リアカバー１０６を掴んで持ち上げても、リアカバー１０６が外れるおそれはない。
【００１６】
尚、係合爪１０６１ａ、係合爪１０６２ａに対応する開口部１０２８ａ、開口部１０２９ａは、シャーシ本体１０２１に形成されている。一方、係合爪１０６１ｂ〜１０６１ｄに対応する開口部１０２８ｂ〜１０２８ｄは、金属板１６１（図１３（Ｃ）に示す）に形成されている。金属板１６１は、マザーボード１２２にネジで組み付けられ、マザーボード１２２を情報処理装置用制御装置１００に装着したとき、情報処理装置用制御装置１００の外面の一部を構成するようになっている。他方、係合爪１０６２ｂおよび係合爪１０６２ｃは、外部接続機器用Ｉ／Ｏボード１６０を情報処理装置用制御装置１００に装着したとき、情報処理装置用制御装置１００の外面の一部を構成するブラケット１７５に形成されている。
【００１７】
ミシン目状の切り欠き部１０６３ａ〜１０６３ｄ（図２（Ａ）に示す）の一つを切り欠くことにより、情報処理装置用制御装置１００に取り付けられるケーブルが通される。
【００１８】
図３（Ａ）及び（Ｂ）を参照すると、フロントカバー１０４は、その内側上部に３つの上部爪１０４１、また、内側下部に３つの下部爪１０４２を備えている。図示されたリアカバー１０６と同様に非導電性の樹脂によって形成されており、フロントカバー１０４の上部爪１０４１、下部爪１０４２をシャーシ１０２の背面側に設けられた開口部に嵌合スライドさせることにより、フロントカバー１０４を着脱することができる。また、図３（Ａ）及び（Ｂ）に示すように、フロントカバー１０４の内側には、静電気防止用金属板１０４３が貼り付けられており、当該静電気防止用金属板１０４３には、シャーシ１０２と電気的に接触を取るための舌片１０４４が複数個設けられている。静電気防止用金属板１０４３を設けることにより、フロントカバー１０４からの静電気は、フレームグランドに放電されるため、フロントカバー１０４の内側に搭載される部品等が静電気によって破壊されるのを防止できる。
【００１９】
いずれにしても、フロントカバー１０４及びリアカバー１０６はネジ無しでシャーシ１０２に固定することができる。
【００２０】
図４（Ａ）を参照すると、フロントカバー１０４をシャーシ１０２に取り付けた状態が示されている。図示されたフロントカバー１０４の前面には、保守用のＵＳＢポート１０４１が設けられているため、保守用の機器を情報処理装置用制御装置１００の前面に接続して保守を行うことができる。よって、保守用機器を情報処理装置用制御装置１００の裏面や側面に接続できない場合に極めて有効である。
【００２１】
一方、図４（Ｂ）に示されているように、シャーシ１０２の下部シャーシを構成するシャーシ本体１０２１は、矩形形状の内部空間（挿入口）を規定すると共に、前面側に前面プレート１０２２が固定されている。この例では、シャーシ本体１０２１と前面プレート１０２２は板金加工により一体成形されていても良い。
【００２２】
前面プレート１０２２の上部には、フロントカバー１０４の上部爪１０４１を受ける３つの穴１０２３が設けられ、また、下部にはフロントカバー１０４の下部爪１０４２を受け、下部爪１０４２を固定するスライド部１０２４及びスライドガイド１０２６が設けられている。スライドガイド１０２６は、スライド部１０２４に連結されている。図４（Ｂ）に示すように、前面プレート１０２２によって、シャーシ本体１０２１の空間は、２つの導入口に分けられている。
【００２３】
図４（Ｃ）、（Ｄ）、（Ｅ）は、シャーシ本体１０２１に設けられるスライド部１０２４及びスライドボタン１０２５の動作を拡大して説明するものであり、シャーシ本体１０２１の底部には、図４（Ｃ）および図１４（Ａ）に示すように、スライドボタン１０２５が設けられている。図１４（Ｂ）を参照すると、スライド部１０２４は、３箇所のネジ穴１０２４ａにネジを装着してシャーシ本体１０２１にスライド可能に止められており、３箇所の凹部１０２４ｂにより、フロントカバー１０４の下部爪１０４２を受けるようになっている。スライド部１０２４はまた、図４（Ｂ）に示されるようにバネ１０２４Ｓによって図中左方向に付勢されている。
【００２４】
スライド部１０２４に取り付けられたスライドボタン１０２５をバネ１０２４Ｓの付勢力に抗ってスライドさせると、スライドボタン１０２５に連動して、シャーシ本体１０２１の空間側に設けられたスライド部１０２４及びスライドガイド１０２６は図４（Ｄ）及び（Ｅ）に示すように、右に移動し、更に、スライド部１０２４に設けられた押出部１０２７が図４（Ｄ）から（Ｅ）に示すように、フロントカバー１０４の下部爪１０４２の挿入孔に進出する。この結果、フロントカバー１０４に設けられ、且つ、係止板１０２７によって押圧されていた下部爪１０４２の押圧状態が、解除され、フロントカバー１０４の下辺のロック状態は解除される。また、スライド部１０２４は、フロントカバー１０４の下部に設けられたリブを押圧する。この例では、スライドボタン１０２５をスライドさせ、フロントカバー１０４の下部爪１０４２の係合を解除しても、上部爪１０４１の係合は解除されないため、フロントカバー１０４の落下を防止した状態で、取り外しができる。
【００２５】
図４（Ｂ）に戻ると、シャーシ本体１０２１の上部には、導電性の金属によって形成された支持プレート１１０がシャーシ本体１０２１に嵌め込まれている。このため、図示されたシャーシ１０２内部の空間は、支持プレート１１０によって、上下２つの空間に分けられている。この例では、支持プレート１１０及びシャーシ１０２は同一の金属材料、例えば、亜鉛メッキ鋼板を板金加工することによって構成されている。
【００２６】
図５（Ａ）及び（Ｂ）を参照すると、支持プレート１１０の上面部は、電源部取付部分１１０１とマザーボード取付部分１１０２とに区分されており、電源部取付部分１１０１には、電源支持用バネ１１０５が設けられ、他方、マザーボード取付部分１１０２には、マザーボードとの電気的な接続をとるための舌片１１０７が複数個配置されている。図５（Ｃ）には、舌片１１０７が拡大して示されている。また、支持プレート１１０のマザーボード取付部分１１０２には、図５（Ｂ）に示すように、取付孔１１０３が複数個設けられている。図１５（Ａ）および（Ｂ）を併せ参照すると、支持プレート１１０上の孔１１０３は、左側に直径の大きい円形形状孔と、当該円形形状孔の右側に連続した溝とによって形成されている。当該取付孔１１０３には、図７を参照して説明するマザーボード１２２のスペーサ１４０が嵌入され、マザーボード１２２を図５の右方向にスライドさせて固定するために使用される。なお、大きい円形形状孔（一部は円形ではない）は、スペーサ１４０の台座１４０１より大きく、連続する溝の幅は、スペーサ１４０の台座１４０１と円形台部１４０２間の軸よりもわずかに大きい。
【００２７】
図５（Ａ）に示すように、支持プレート１１０の背面側（リアカバー側）には、電源固定用支持部１１０８が設置されており、他方、マザーボード取付部分１１０２の側面には、コネクタ取付部１１０９が設けられている。更に、シャーシ１０２の背面側は支持プレート１１０によって、単一の下部空間が規定され、他方、支持プレート１１０の上部には、標準コネクタ群を取り付けることができるコネクタ取付部が規定されている。
【００２８】
図６（Ａ）、（Ｂ）、（Ｃ）、（Ｄ）、及び（Ｅ）を参照して、シャーシ１０２の上部に配置された支持プレート１１０に、マザーボード、電源部を固定する動作について説明する。尚、図６では、支持プレート１１０の下部に設けられた空間に、拡張用コネクタパネルが既に取り付けられている場合が示されている。
【００２９】
図６（Ａ）では、支持プレート１１０のマザーボード取付部分１１０２上に、マザーボード１２２がネジ無しで取り付けられている。ここで、図７（Ａ）、（Ｂ）、（Ｃ）、及び（Ｄ）をも参照すると、マザーボード１２２上には、ＤＲＡＭ１２２１、ヒートシンク１２２３、ＣＰＵ１２２５、マザーボードコネクタ１２２７、ＲＴＣバッテリ１２２９等が配置されている。マザーボードコネクタ１２２７は、支持プレート１１０の側面に設けられた後述するライザボードと電気的に接続される。更に、図示されたマザーボード１２２には、ハンドル１３０が取り付けられると共に、標準コネクタを配列した標準コネクタ群１２０も配置されている。
【００３０】
尚、図６（Ａ）、（Ｂ）、（Ｄ）では、マザーボード１２２にネジで組み付けられ、マザーボード１２２を情報処理装置用制御装置１００に装着したとき、情報処理装置用制御装置１００の外面の一部を構成する金属板１６１（図１３（Ｃ）に示す）は図示していない。
【００３１】
図７（Ｃ）に示すように、マザーボード１２２の裏面には、絶縁材料によって形成されたスペーサ１４０が複数個所（この例では６箇所）設けられると共に、マザーボード１２２上のデバイスを接地端子に電気的に接続された電極１４４が複数個所（６箇所）に配置されている。
【００３２】
スペーサ１４０は図７（Ｄ）に示すように、台座１４０１、円形台部１４０２、当該円形台部１４０２上に搭載された支持部１４０３、及び、支持部１４０３上に取り付けられた傘型部材１４０４によって構成されている。当該スペーサ１４０を用いることによって支持プレート１１０と、マザーボード１２２とを連結することができる。即ち、図７（Ｄ）の右側に示しているように、マザーボード１２２は、スペーサ１４０の傘型部材１４０４と支持部１４０３の間に嵌入され、他方、支持プレート１１０は台座１４０１と円形台部１４０２との間に嵌入されている。マザーボード１２２を支持プレート１１０に固定する場合、支持プレート１１０上に形成されている取付孔１１０３の円形形状の孔部分にスペーサ１４０の台座１４０１を挿入した後、取付孔１１０３の溝部分にスライドさせることによって、台座１４０１と円形台座１４０２との間に、支持プレート１１０を挟み込むことにより、マザーボード１２２を支持プレート１１０に固定することができる。換言すれば、スペーサ１４０の二重フランジ部を取付孔の丸孔部分に差し込んだ後、マザーボード１２２を漏斗形状の狭小部分が終わる位置までスライドさせて、マザーボード１２２を固定する。図１５（Ｃ）は、マザーボード１２２をスペーサ１４０を介して支持プレート１１０に固定した状態を示す部分的な断面図である。
【００３３】
マザーボード１２２を固定する場合、マザーボード１２２のハンドル１３０を使用して、図６（Ａ）の左から右方向に支持プレート１１０上をスライドさせ、マザーボードコネクタ１２２７を他のデバイスに接続されるライザコネクタと電気的に接続固定することができる。前述したように、支持プレート１１０に設けられた漏斗状の孔１１０３に、マザーボード１２２のスペーサ１４０を差し込んでマザーボード１２２をスライドさせて固定することができる。
【００３４】
この結果、マザーボード１２２のマザーボードコネクタ１２２７がライザプレートのコネクタに接続され固定されると、マザーボード１２２の裏面の電極１４４は支持プレート１１０上の舌片１１０７と電気的に接続された状態となるように構成されている。
【００３５】
前述したように、図６及び図７に示されたマザーボード１２２は、スライドさせることにより、マザーボードコネクタ１２２７を他の回路に接続することによって固定でき、ネジ無しでシャーシ１０２上に固定される。
【００３６】
図６（Ｂ）を参照すると、支持プレート１１０上には、電源部（電源ユニット）１３２が装着されている。電源部１３２の装着の際、まず、電源支持用バネ１１０５及び電源固定用支持部材１１０８（図５（Ｂ））に電源部１３２を接触させた状態で仮固定を行う。
【００３７】
次に、図６（Ｃ）に示すような押圧プレート１３４で電源部１３２を覆い、マザーボード１２２の規制と電源部１３２の固定を行う。この場合、押圧プレート１３４の係止部１３４２と係止部１３４３は、支持プレート１１０に設けられたそれぞれに対応する開口に挿入され、図６（Ｄ）に示すように、固定される。このため、電源部１３２もネジ無しで支持プレート１１０上に固定される。具体的に説明すると、押圧プレート１３４の係止部１３４２は、２つの舌片によって構成されており、これら舌片を支持プレート１１０に設けられた孔に係合させ、その後、係止部１３４３を支持プレート１１０に設けられた孔に係合させることにより、押圧プレート１３４を支持プレート１１０上に固定し、この結果、電源部１３２も固定される。この時、押圧プレート１３４の脚部１３４１は、マザーボード１２２の横方向への移動を規制する。なお、押圧プレート１３４の脚部１３４１は、バネ性を有している。
【００３８】
より具体的には、押圧プレート１３４の舌片状の係止部１３４２を、電源固定用支持部１１０８に形成されている孔部１１０８ａ（図６（Ａ）に示す）と切り欠き部１１０８ｂ（図６（Ａ）に示す）に挿入して係止し、その後、係止箇所を支点として回動させて、係止部１３４３をシャーシ本体１０２１に形成されている孔部１１０８ｃ（図６（Ａ）に示す）に挿入して係止部１３４３の半球状突起１３４３ａ（図６（Ｃ）に示す）を超えて押し込んで係合させることにより固定し、この結果、電源部１３２が固定される。係止部１３４３は、バネ性を有している。
【００３９】
尚、電源固定用支持部１１０８に形成されている孔部１１０８ａ、１１０８ｃと、切り欠き部１１０８ｂは、両方とも孔部であってもよいし、両方とも切り欠き部であってもよい。即ち、両方が、開口部（孔部や切り欠き部）が設けてあればよい。
【００４０】
また、押圧プレート１３４の係止部１３４３の半球状突起は、電源固定用支持部１１０８側に係合可能でありさえすれば、押圧プレート１３４の外側もしくは内側どちらに向かって突出する形状であってもよい。
【００４１】
本実施例では、押圧プレート１３４を固定することによって、電源部１３２を固定し、マザーボード１２２の横方向への移動を規制しているが、押圧プレート１３４は電源部１３２を固定するだけとし、同様の機構を別に設けて、もしくは、他のネジ無しで固定するプレートを別に設けて、マザーボード１２２の横方向への移動を規制するようにしてもよい。
【００４２】
図８（Ａ）、（Ｂ）、（Ｃ）、（Ｄ）、及び（Ｅ）を参照して、情報格納記録媒体としてのハードディスクドライブ（ＨＤＤ）部１５０を情報処理装置用制御装置１００に取り付ける構造について説明する。この例に示されたＨＤＤ部１５０は、シャーシ本体１０２のフロントカバー１０４を取り外し、シャーシ１０２の支持プレート１１０の下部に形成される空間に、挿入される。具体的に説明すると、図示されたＨＤＤ部１５０はＨＤＤ本体１５０１と、当該ＨＤＤ本体１５０１をガイドするガイド部１５０３とによって構成されている。ガイド部１５０３は、図８（Ｂ）に示すように、ＨＤＤ本体１５０１を両側面から支持する２本のガイドバー１５２と、両ガイドバーを連結する連結部１５４とによって構成されている。２本のガイドバー１５２の先端部１５２１は、ＨＤＤ本体１５０１側に曲げられてツマミを構成しており、ガイドバー１５２の先端部は互いに離隔している。このように、ガイドバー１５２の先端が互いに離隔している構成のＨＤＤ部１５０では、ＨＤＤ本体１５０１の前面に記載された表示を直視することができる。また、ガイドバー１５２の先端部１５２１の近傍には、図８（Ｅ）に示すような爪１５２３が設けられており、この爪１５２３が支持プレート１１０に設けられた孔と係合して固定される。なお、爪１５２３は、他方の先端部にも設けられている。
【００４３】
尚、ガイド部１５０３は、例えばＰＣ／ＡＢＳ、ポリマーアロイ等の弾性を有し、かつ、例えばユーザが視認しやすい色の樹脂材料を射出成形して形成されている。
【００４４】
２本のガイドバー１５２の内側面には、ＨＤＤ本体１５０１の側面のネジ孔部に対応して、４個の金属スタッド１５５（図８（Ｂ）に示す）が取り付けられている。
【００４５】
ユーザは、２本のガイドバー１５２を引っ張り拡げ、２本のガイドバー１５２間に、ＨＤＤ本体１５０１の各ネジ孔部が各金属スタッドに一致するように導入し、ガイドバー１５２間の拡大を解除すると、金属スタッドがネジ孔部に挿入され、ＨＤＤ本体１５０１は、ガイド部１５０３に固定される。そして、ユーザは、マザーボード１２２から導出されているケーブルコネクタを、ＨＤＤ本体１５０１のコネクタ１５０１ａ（図８（Ａ）に示す）に挿入する。
【００４６】
シャーシ本体１０２１の支持プレート１１０の下部に形成された空間（開口部）の両側には、図８（Ｄ）に示すように、ＨＤＤ部１５０の飛び出しを抑える押さえ１５０５が設けられている。開口部にＨＤＤ部１５０を装着する場合、ガイド部１５０３のガイドバー１５２をシャーシ１０２内のレールと嵌合させることにより、ＨＤＤ部１５０はシャーシ１０２内に装着される。他方、ＨＤＤ部１５０をシャーシ１０２から取り外す場合、ガイドバー１５２の先端部の間隔が狭くなるように力を加えることにより、シャーシ１０２からＨＤＤ部１５０を取り外すことができる。
【００４７】
上記したことからも明らかな通り、本発明に係る情報処理装置用制御装置は、マザーボード１２２、電源部１３２、及びＨＤＤ部１５０をネジ無しで支持プレート１１０或いはシャーシ本体１０２１に固定することができる。
【００４８】
図９（Ａ）、（Ｂ）、（Ｃ）、及び（Ｄ）を参照して、拡張用コネクタを複数配列した外部接続機器用Ｉ／Ｏボード１６０を、シャーシ１０２のシャーシ本体１０２１の背面に設けられた挿入口１６２に挿入する場合について説明する。ここでは、図９（Ａ）に示されたシャーシ本体１０２１の挿入口１６２に、図９（Ｂ）に示された外部接続機器用Ｉ／Ｏボード１６０を図９（Ｃ）に示すように、挿入する例が示される。この場合にも、外部接続機器用Ｉ／Ｏボード１６０は、ネジ無しでシャーシ本体１０２１の挿入口１６２に挿入され、固定される。シャーシ本体１０２１の側面（右側面）には、図９（Ｄ）に拡大して示すライザボード１６４が設けられており、当該ライザボード１６４は、外部接続機器用Ｉ／Ｏボード１６０と電気的に接続される第１のコネクタ１６６と、支持プレート１１０上に取り付けられるマザーボード１２２のマザーボードコネクタ１２２７と接続される第２のコネクタ１６７とを備えている。図示されたライザボード１６４はスタッド１６８によって支持プレート１１０に固定されている。
【００４９】
ライザボード１６４のスタッド１６８は、マザーボード１２２のスペーサ１４０と同様のものであり、支持プレート１１０の壁面部に設けられた溝部に挿入してスライドさせることにより、支持プレート１１０に固定されている。したがって、ライザボード１６４も、ネジ無しで支持プレート１１０に固定することができる。
【００５０】
図１０（Ａ）及び（Ｂ）は、それぞれ、図９（Ｂ）に示された外部接続機器用Ｉ／Ｏボード１６０の斜視図及び上面図である。図示された外部接続機器用Ｉ／Ｏボード１６０は、外部接続機器用接続部としての機能を有し、水平方向に延びるプレート部１７２と当該プレート部に対して垂直なボード部１７４とを有しているブラケット１７５と、外部接続用端子１８３と複数種類のコネクタ１７６を有するインターフェース基板とで構成されている。外部接続機器用Ｉ／Ｏボード１６０に配置されるコネクタ１７６の具体例については後述する。
【００５１】
図１０（Ａ）及び（Ｂ）に示されているように、ブラケット１７５のボード部１７４上部には、回動可能なレバー部材１８０、引出用ハンドル１８２、及び外部接続用端子１８３が設けられている。この例では、外部接続用端子１８３は、図の右端部に形成されている。他方、ブラケット１７５の底面には、図１０（Ｃ）に示すような略Ｌ字状の２本の開口１８５が設けられている。
【００５２】
図１０（Ｄ）に示すように、レバー部材１８０は、ブラケット１７５の上部に結合された回転軸１８０１を有し、回転軸１８０１を中心として回転することができる。また、レバー部材１８０は、先端部に間隔を置いて配置された２本のアーム１８０３、１８０５と、他端に設けられたレバー１８０７とを有している。図示されたレバー部材１８０では、２本のアーム１８０３、１８０５との間に、後述するシャーシ本体１２０１側に設けられた円柱状突起１９２と連結される。
【００５３】
シャーシ本体１０２１の挿入口１６２内の下辺部には、図１１（Ｄ）及び（Ｅ）に拡大して示すように、釘状の突起１９０が設けられており、当該釘状の突起１９０に、外部接続機器用Ｉ／Ｏボード１６０のプレート部に設けられた略Ｌ字状の２本の開口１８５内に位置付けられる。
【００５４】
また、シャーシ本体１０２１の挿入口１６２内の上辺部には、図１１（Ｃ）に拡大して示すように、下方向に延びる円柱状突起１９２が、レバー部材１８０のアーム１８０３、１８０５間の溝内に位置付けられる。
【００５５】
装着する場合、外部接続機器用Ｉ／Ｏボード１６０のレバー部材１８０の溝の位置を挿入口内の突起１９２の位置に合わせ、且つ、プレート部の略Ｌ字状の開口１８５を挿入口内下辺の釘状突起１９０の位置に合わせた状態で、挿入口に挿入して突き当てた後、レバー部材１８０を反時計方向に９０度回転すると、外部接続機器用Ｉ／Ｏボード１６０は略Ｌ字状の開口１８５に沿って移動した後、右方向にスライドして最終的に固定された状態になる。固定された状態で、外部接続用端子１８３は、ライザボード１６４（図９（Ｄ））の第１のコネクタ１６６に電気的に接触される。
【００５６】
この構成により、拡張用コネクタ群を配置した外部接続機器用Ｉ／Ｏボード１６０をもネジ無しで、シャーシ１０２に固定することができる。
【００５７】
ここで、外部接続機器用Ｉ／Ｏボード１６０に配置される拡張用コネクタは、ユーザ毎に異なっている。ユーザ毎に異なる拡張用コネクタに対する要望に対応できることが望ましい。そこで、ユーザのニーズに対応して異なる拡張用コネクタ配列を有する外部接続機器用Ｉ／Ｏボード１６０を用意しておき、ユーザ毎に簡単に取り替え可能にしておくことが望ましい。
【００５８】
図１２（Ａ）、（Ｂ）、及び（Ｃ）を参照すると、本発明に係る外部接続機器用Ｉ／Ｏボード１６０の具体例が示されている。図１２（Ａ）に示された外部接続機器用Ｉ／Ｏボード１６０は、２個のキャッシュドロアー用ポート、２個のＵＳＢポート、２個のシリアルポート、及び、一個のパラレルポートを備えた標準的な拡張コネクタ用パネルＡであり、図１２（Ｂ）に示された外部接続機器用Ｉ／Ｏボード１６０は、２個のキャッシュドロアー用ポート、５個のＵＳＢポート、及び一個のパラレルポートを備えたパネルＢである。更に、図１２（Ｃ）に示された外部接続機器用Ｉ／Ｏボード１６０は、２個のキャッシュドロアー用ポート、１個のＵＳＢポート、２個の電源ポート、２個のシリアルポート、及び１個のパラレルポートを備えたパネルＣである。これらパネルＡ、Ｂ、及びＣは、当該パネルに搭載されるコネクタと共に、外部接続機器用接続部を構成している。
【００５９】
図１３（Ａ）〜（Ｄ）ならびに図１６（Ａ）〜（Ｄ）を参照して、図１に示されたトップカバー１０５の取付構造を説明する。トップカバー１０５は、主面部と当該主面部の両側に、下方向に伸びる側面部を有し、片側の側面部の背面側には、図１３（Ｂ）に示すような係止部１０５１が設けられ、係止部１０５１の先端は側面側に曲げられている。他方、シャーシ１０２の背面には、図１６（Ａ）〜（Ｄ）に示されるような金具であるシャーシ側係止部１０５４が、上下動可能に取り付けられている。シャーシ側係止部１０５４には、図１３（Ｄ）に拡大して示すように、シャーシ側係止部１０５４の上下動を操作するためのツマミ１０５５が取り付けられている。尚、図１６（Ａ）〜（Ｄ）において、シャーシ側係止部１０５４は、説明の便宜上、シャーシ１０２を図示せずに描かれている。図１６（Ｂ）に示されるように、シャーシ側係止部１０５４は、トップカバー１０５の係止部１０５１に係合することにより、トップカバー１０５をシャーシ１０２に固定することができる。このため、この実施形態では、トップカバー１０５もネジなしでシャーシ１０２に固定することができると共に、ネジを外す操作無しで取り外すことができる。ツマミ１０５５は、バネ性を有するシャーシ側係止部１０５４に設けられた２つの孔１０５４ａ（１つは係止位置で、他の１つは係止解除位置）のいずれかを、シャーシ１０２に設けられた半球状突起（図示せず）に係合させることによって、係止位置、もしくは係止解除位置でシャーシ１０２に保持される。
【００６０】
以上、本発明の一実施形態について説明したが、本発明の最小の構成は、電源ユニット、マザーボード（メインボード）、及び筐体フレーム（即ち、シャーシ）であるから、種々の変形例が考えられる。例えば、マザーボードにすべての外部接続コネクタを設ければ、外部接続機器用接続部は不要である。また、外部接続機器用接続部を中継コネクタで接続せず、ケーブルによって接続するようにすれば、中継基板は不要である。この場合、マザーボードの外部接続機器用接続部との接続端子も不要になる。更に、マザーボードにすべての記憶部を設ければ、ＨＤＤ部は不要になる。いずれにしても、本発明は、構成品の交換時間を短縮することができ、また、専門の保守員ではないユーザでも保守が可能となると言う利点を備えている。
【００６１】
上記の実施形態の一部又は全部は、以下の付記のようにも記載されうるが、以下には限られない。
【００６２】
（付記１）
電源部と、マザーボードとを内蔵したシャーシを備え、前記電源部及び前記マザーボードは、前記シャーシに設けられた支持プレートに、ネジを使用することなく固定されていることを特徴とする情報処理装置用制御装置。
【００６３】
（付記２）
付記１において、前記マザーボードは、複数のスペーサを備え、前記支持プレートは、漏斗形状の取付孔を複数備え、前記スペーサの二重フランジ部を前記取付孔の丸孔部分に差し込んだ後、前記マザーボードを漏斗形状の狭小部分が終わる位置までスライドさせ、さらに、前記マザーボードのスライド方向とは逆方向の動きを規制するプレートを、ネジを使用することなく固定することにより、前記マザーボードは、固定されることを特徴とする情報処理装置用制御装置。
【００６４】
（付記３）
付記１において、前記支持プレートに設けられた電源部固定用支持部に前記電源部を仮置きし、前記電源部とは別体に設けた押圧プレートの一端に設けた舌片状の係止部を開口部に挿入した後、他端に設けた係止部の突起を前記支持プレートに設けた孔に係合させることにより、前記電源部は、固定されることを特徴とする情報処理装置用制御装置。
【００６５】
（付記４）
付記１において、前記マザーボードは、複数のスペーサを備え、前記支持プレートは、漏斗形状の取付孔を複数備え、前記スペーサの二重フランジ部を前記支持プレートの前記取付孔の丸孔部分に差し込んだ後、前記マザーボードを漏斗形状の狭小部分が終わる位置までスライドさせる一方、前記支持プレートに設けられた電源部固定用支持部に前記電源部を仮置きし、前記電源部とは別体に設けた押圧プレートの一端に設けた舌片状の係止部を開口部に挿入した後、他端に設けた係止部の突起を前記支持プレートに設けた孔に係合させることにより、前記電源部は、固定され、かつ、前記電源部が固定された時に前記電源押圧カバーの側面によって、前記マザーボードは、そのスライド方向とは逆方向の動きが規制されることを特徴とする情報処理装置用制御装置。
【００６６】
（付記５）
付記２または４において、前記情報処理装置用制御装置は、側面に側面コネクタを有し、前記スペーサの二重フランジ部を前記取付孔の丸孔部分に差し込んだ後、前記マザーボードを漏斗形状の狭小部分が終わる位置までスライドさせることにより、前記マザーボードの端部に設けられたマザーボードコネクタは、前記側面コネクタに挿入および接続されることを特徴とする情報処理装置用制御装置。
【００６７】
（付記６）
付記１において、前記情報処理装置用制御装置の前面を覆う、前記シャーシと係合する上部係合爪と下部係合爪を有するフロントカバーと、前記情報処理装置用制御装置の上面と左右側面を覆う、前記シャーシの係合部と係合する係合爪を有するトップカバーとをさらに有し、前記フロントカバーは、情報処理装置用制御装置の底面に設けられたロックレバーを操作して前記下部係合爪と前記シャーシとの係合のみを解除して取り外す構成であり、前記トップカバーは、背面に設けられたロックレバーを操作して前記トップカバーの前記係合爪と前記シャーシの係合部との係合を解除して取り外す構成であることを特徴とする情報処理装置用制御装置。
【００６８】
（付記７）
付記６において、前記情報処理装置用制御装置の背面のケーブル接続部を覆う、前記シャーシと係合する上部係合爪と下部係合爪を有するリアカバーをさらに有し、前記リアカバーは、横方向にスライドさせることによって、前記上部係合爪及び前記下部係合爪と、前記シャーシとの係合を解除して取り外す構成であることを特徴とする情報処理装置用制御装置。
【００６９】
（付記８）
付記１において、情報格納用記憶部をさらに有し、前記情報格納用記憶部は、ＨＤＤ部であり、前記ＨＤＤ部も、ネジを使用することなく前記シャーシに固定され、前面の両側に設けられたツマミを同時に内側に押すことによって前記シャーシとの係合を解除して取り出す構成であることを特徴とする情報処理装置用制御装置。
【００７０】
（付記９）
付記８において、外部接続機器用接続部をさらに有し、前記外部接続機器用接続部も、ネジを使用することなく前記シャーシに固定され、レバーを９０度回転させて横方向にスライドさせて前記シャーシとの係合を解除して取り出す構成であることを特徴とする情報処理装置用制御装置。
【００７１】
（付記１０）
付記１乃至９のいずれか一項において、前面に保守用機器の接続端子を備えていることを特徴とする情報処理装置用制御装置。
【００７２】
（付記１１）
付記１乃至１０のいずれか一項において、前記シャーシは、導電性材料を板金加工することによって構成されていることを特徴とする情報処理装置用制御装置。
【００７３】
（付記１２）
付記２乃至１１のいずれか一項において、
前記マザーボードは、表面側に搭載されたデバイスと、表面側の接地端子に接続され、裏面側に設けられた電極板とを備え、
他方、前記支持プレートには、前記マザーボード裏面側の前記電極板と電気的に接触する導体片が前記マザーボードの固定位置に設けられていることを特徴とする情報処理装置用制御装置。
【符号の説明】
【００７４】
１００    情報処理装置用制御装置
１０２    シャーシ（筐体フレーム）
１０２１  シャーシ本体
１０２２  前面プレート
１０２３  長穴
１０２４  スライド部
１０２５  スライドボタン
１０２６  スライドガイド
１０２７  押出部
１０４    フロントカバー
１０５    トップカバー
１０５１  係止部
１０５４  シャーシ側係止部
１０５４ａ  孔
１０５５  ツマミ
１０４１  上部爪
１０４２  下部爪
１０４３  静電気防止用金属板
１０４４  舌片
１０６    リアカバー
１０６１ａ〜１０６１ｄ  係合爪
１０６２ａ〜１０６２ｃ  係合爪
１１０    支持プレート
１１０１  電源取付部分
１１０２  マザーボード取付部分
１１０３  取付孔
１１０５  電源支持用バネ
１１０７  舌片
１１０８  電源固定用支持部
１１０９  コネクタ取付部
１２０    標準コネクタ群
１２２    マザーボード（メインボード）
１２２１  ＤＲＡＭ
１２２３  ヒートシンク
１２２５  ＣＰＵ
１２２７  マザーボードコネクタ
１２２９  ＲＴＣバッテリ
１３０    ハンドル
１３２    電源部
１３４    押圧プレート
１３４１  脚部
１４０    スペーサ
１４０１  台座
１４０２  円形台部
１４０３  支持部
１４０４  傘型部材
１４４    電極
１５０    ＨＤＤ
１５０１  ＨＤＤ本体
１５０３  ガイド部
１５０５  押さえ
１５２    ガイドバー
１５２１  先端部
１５２３    爪
１６０    外部接続機器用Ｉ／Ｏボード（外部接続機器用接続部）
１６２    挿入口
１６４    ライザボード
１６６    第１のコネクタ
１６７    第２のコネクタ
１６８    スタッド
１７２    プレート部
１７４    ボード部
１７５    ブラケット
１７６    複数種類のコネクタ
１８０    レバー部材
１８０１  回転軸
１８０３、１８０５  アーム
１８２    引出用ハンドル
１８３    外部接続用端子
１８５    略Ｌ字状開口
１９０    釘状突起
１９２    円柱状突起
【図１】
0005246822.tif 000002
【図２】
0005246822.tif 000003
【図３】
0005246822.tif 000004
【図４】
0005246822.tif 000005
【図５】
0005246822.tif 000006
【図６】
0005246822.tif 000007
【図７】
0005246822.tif 000008
【図８】
0005246822.tif 000009
【図９】
0005246822.tif 000010
【図１０】
0005246822.tif 000011
【図１１】
0005246822.tif 000012
【図１２】
0005246822.tif 000013
【図１３】
0005246822.tif 000014
【図１４】
0005246822.tif 000015
【図１５】
0005246822.tif 000016
【図１６】
0005246822.tif 000017